【手続補正書】
【提出日】平成16年8月3日(2004.8.3)
【手続補正１】
【補正対象書類名】明細書
【補正対象項目名】特許請求の範囲
【補正方法】変更
【補正の内容】
【特許請求の範囲】
【請求項１】
アルミニウム製容器本体及びアルミニウム製蓋材を、ろう材を用い、高密度熱源により局部的に加熱溶融して容器本体と蓋材を接合するに際し、蓋材の容器本体内に嵌合した部分にパッキングを設けることを特徴とするアルミニウム製電池ケースの接合方法。
【請求項２】
蓋材の容器本体内に嵌合した部分に溝を設け、該溝にシリコーンゴム製パッキングを嵌め込んだ請求項１記載のアルミニウム製電池ケースの接合方法。
【請求項３】
シリコーンゴム製パッキングが、断面が０．１〜０．７ｍｍの円形または角型のリング状に成形されたテフロンコーティングしたシリコーンゴム製パッキングである請求項１または請求項２記載のアルミニウム製電池ケースの接合方法。
【請求項４】
アルミニウム製容器本体及びアルミニウム製蓋材を、ろう材を用い、高密度熱源により局部的に加熱溶融して容器本体と蓋材を接合するに際し、蓋材の容器本体内に嵌合する全体の部分に熱可塑製樹脂製のインナーシールを設けることを特徴とするアルミニウム製電池ケースの接合方法。
【請求項５】
蓋材の容器本体内に嵌合する全体の部分に、厚さ２５〜１００ミクロンのポリプロピレン製ヒートラミフィルムをインナーシールとして用いる請求項４記載のアルミニウム製電池ケースの接合方法。
【請求項６】
高密度熱源が、エレクトロンビーム、レーザー光、プラズマまたは高周波誘導加熱である請求項１または請求項４のいずれかに記載のアルミニウム製電池ケースの接合方法。
【請求項７】
ろう材などは、あらかじめ接合部の形状に合わせて成形したものである請求項１または請求項４のいずれかに記載のアルミニウム製電池ケースの接合方法。
【請求項８】
アルミニウム製容器本体及びアルミニウム製蓋材を、ろう材を用い、高密度熱源により局部的に加熱溶融して容器本体と蓋材を接合するに際し、蓋材の容器本体内に嵌合した部分にパッキングを設けて接合することを特徴とするアルミニウム製電池ケースの接合方法。
【請求項９】
アルミニウム製容器本体及びアルミニウム製蓋材を、ろう材を用い、高密度熱源により局部的に加熱溶融して容器本体と蓋材を接合するに際し、蓋材の容器本体内に嵌合する全体の部分に熱可塑性樹脂製のインナーシールを設けて接合することを特徴とするアルミニウム製電池ケースの接合方法。
【請求項１０】
アルミニウム製容器本体及びアルミニウム製蓋材を、ろう材を用い、高密度熱源により局部的に加熱溶融して容器本体と蓋材を接合した電池ケースであって加熱溶融して接合する部分より内部の容器本体内側と蓋材の嵌合した部分でパッキングによりシールしたアルミニウム製電池ケース。
【請求項１１】
アルミニウム製容器本体及びアルミニウム製蓋材を、ろう材を用い、高密度熱源により局部的に加熱溶融して容器本体と蓋材を接合した電池ケースであって、蓋材の容器本体内に嵌合する全体の部分を覆う熱可塑性樹脂製のインナーシールを設けたアルミニウム製電池ケース。
【手続補正２】
【補正対象書類名】明細書
【補正対象項目名】０００２
【補正方法】変更
【補正の内容】
【０００２】
【従来の技術】
各種電池用の電池ケースは、それぞれの構成材に適したステンレススチール（ニッケルメッキ）、アルミニウムなどの素材を用いた電池ケースが開発されているが、リチウムイオン二次電池などのためにはアルミニウム製電池ケースが多く使用されている。
この電池ケースの製造には、電極及び電解液などを充填した後、容器本体及び蓋材を接合することによって行われる。この接合する方法として現在実施されている方法の一つにレーザー溶接が挙げられる。これは容器本体に載置あるいは嵌め込みなどの方法により組まれた電極及び電解液などを充填した容器本体と蓋材のアルミニウムが接した部分を直接レーザー光により加熱し溶着する方法である。該方法においては、ろう材などを用いた方法は、工程の増加などによる生産性の低下、コストの上昇などを避けるためかほとんど使用はされていない。このため材料の寸法精度と接合装置の動作精度の双方に非常に高い精度を必要とするため歩留の面で問題がある。
【手続補正３】
【補正対象書類名】明細書
【補正対象項目名】０００５
【補正方法】変更
【補正の内容】
【０００５】
【課題を解決するための手段】
本発明は、
［１］  アルミニウム製容器本体及びアルミニウム製蓋材を、ろう材を用い、高密度熱源により局部的に加熱溶融して容器本体と蓋材を接合するに際し、蓋材の容器本体内に嵌合した部分にパッキングを設けることを特徴とするアルミニウム製電池ケースの接合方法、
［２］  蓋材の容器本体内に嵌合した部分に溝を設け、該溝にシリコーンゴム製パッキングを嵌め込んだ上記［１］に記載のアルミニウム製電池ケースの接合方法、
［３］  シリコーンゴム製パッキングが、断面が０．１〜０．７ｍｍの円形または角型のリング状に成形されたテフロンコーティングしたシリコーンゴム製パッキングである上記［１］または［２］に記載のアルミニウム製電池ケースの接合方法、
［４］  アルミニウム製容器本体及びアルミニウム製蓋材を、ろう材を用い、高密度熱源により局部的に加熱溶融して容器本体と蓋材を接合するに際し、蓋材の容器本体内に嵌合する全体の部分に熱可塑製樹脂製のインナーシールを設けることを特徴とするアルミニウム製電池ケースの接合方法、
［５］  蓋材の容器本体内に嵌合する全体の部分に、厚さ２５〜１００ミクロンのポリプロピレン製ヒートラミフィルムをインナーシールとして用いる上記［４］に記載のアルミニウム製電池ケースの接合方法、
［６］  高密度熱源が、エレクトロンビーム、レーザー光、プラズマまたは高周波誘導加熱である上記［１］または［４］のいずれかに記載のアルミニウム製電池ケースの接合方法、
［７］  ろう材などは、あらかじめ接合部の形状に合わせて成形したものである上記［１］または［４］のいずれかに記載のアルミニウム製電池ケースの接合方法、
【手続補正４】
【補正対象書類名】明細書
【補正対象項目名】０００６
【補正方法】変更
【補正の内容】
【０００６】
［８］  アルミニウム製容器本体及びアルミニウム製蓋材を、ろう材を用い、高密度熱源により局部的に加熱溶融して容器本体と蓋材を接合するに際し、蓋材の容器本体内に嵌合した部分にパッキングを設けて接合することを特徴とするアルミニウム製電池ケースの接合方法、
［９］  アルミニウム製容器本体及びアルミニウム製蓋材を、ろう材を用い、高密度熱源により局部的に加熱溶融して容器本体と蓋材を接合するに際し、蓋材の容器本体内に嵌合する全体の部分に熱可塑性樹脂製のインナーシールを設けて接合することを特徴とするアルミニウム製電池ケースの接合方法、
【手続補正５】
【補正対象書類名】明細書
【補正対象項目名】０００７
【補正方法】変更
【補正の内容】
【０００７】
［１０］  アルミニウム製容器本体及びアルミニウム製蓋材を、ろう材を用い、高密度熱源により局部的に加熱溶融して容器本体と蓋材を接合した電池ケースであって加熱溶融して接合する部分より内部の容器本体内側と蓋材の嵌合した部分でパッキングによりシールしたアルミニウム製電池ケース、及び
［１１］  アルミニウム製容器本体及びアルミニウム製蓋材を、ろう材を用い、高密度熱源により局部的に加熱溶融して容器本体と蓋材を接合した電池ケースであって、蓋材の容器本体内に嵌合する全体の部分を覆う熱可塑性樹脂製のインナーシールを設けたアルミニウム製電池ケース、を開発することにより上記の課題を解決した。